(57)【要約】【課題】  ＨＴＭＬメールの文書入力時に、その文書の内容に応じて、感情を表す文字に装飾を自動的に掛ける。【解決手段】  制御部１１は、ＨＴＭＬメールの文書作成時に、作成されたテキスト形式の文書の中に感情が読み取れる１つもしくは複数の文字列が存在すると、その１つもしくは複数の文字列から文書の全体感情を決定し、それぞれの文字列にその決定した全体感情に対応した装飾を掛けたＨＴＭＬ形式の文書にして表示部１４に表示する。【選択図】      図１
2006185426.tif 000002
【特許請求の範囲】
【請求項１】
ＨＴＭＬメールを作成するＨＴＭＬ生成システムであって、
ＨＴＭＬメールの文書作成時に、作成されたテキスト形式の文書の中に感情が読み取れる１つもしくは複数の文字列が存在すると、その１つもしくは複数の文字列から文書の全体感情を決定する感情決定手段と、
前記文字列に前記決定した全体感情に対応した装飾を掛けたＨＴＭＬ形式の文書にして表示部に表示する作成手段と、有することを特徴とするＨＴＭＬメール生成システム。
【請求項２】
前記文字列毎に前記文字列が表す喜怒哀楽の感情情報と前記文字列の感情の強さを示す頻度値とを格納する辞書を備え、
前記感情決定手段は、前記１つもしくは複数の文字列をキーにして前記辞書を検索することにより前記１つもしくは複数の文字列に対応する感情情報と頻度値とを抽出し、
前記抽出した頻度値の中で前記頻度値の一番高い値に該当する感情情報を前記全体感情として決定することを特徴とする請求項１記載のＨＴＭＬメール生成システム。
【請求項３】
前記文字列毎に前記文字列が表す喜怒哀楽の感情情報と前記文字列の感情の強さを示す頻度値とを格納する辞書と、
前記全体感情に対応した装飾パターンを格納するデータベースと、を備え、
前記感情決定手段は、前記１つもしくは複数の文字列をキーにして前記辞書を検索することにより前記１つもしくは複数の文字列に対応する感情情報と頻度値とを抽出し、
前記抽出した頻度値の中で前記頻度値の一番高い値に該当する感情情報を前記全体感情として決定し、
前記作成手段は、前記決定した全体感情をキーにして前記データベースを検索することにより文書の背景色を決定することを特徴とする請求項１記載のＨＴＭＬメール生成システム。
【請求項４】
前記文字列毎に前記文字列が表す喜怒哀楽の感情情報と前記文字列の感情の強さを示す頻度値とを格納する辞書と、
部分感情と全体感情とに対応した装飾パターンを格納するデータベースと、を備え、
前記感情決定手段は、前記１つもしくは複数の文字列をキーにして前記辞書を検索することにより前記１つもしくは複数の文字列に対応する感情情報と頻度値とを抽出し、
前記抽出した頻度値の中で前記頻度値の一番高い値に該当する感情情報を前記全体感情として決定し、
前記作成手段は、前記抽出した感情情報を部分感情としその部分感情と前記決定した全体感情とをキーにして前記データベースを検索することにより前記１つもしくは複数の文字列に対応する装飾パターンを抽出することを特徴とする請求項１または３記載のＨＴＭＬメール生成システム。
【請求項５】
ＨＴＭＬメールを作成する通信装置であって、
ＨＴＭＬメールの文書作成時に、作成されたテキスト形式の文書の中に感情が読み取れる１つもしくは複数の文字列が存在すると、その１つもしくは複数の文字列から文書の全体感情を決定する感情決定手段と、
前記文字列に前記決定した全体感情に対応した装飾を掛けたＨＴＭＬ形式の文書にして前記表示部に表示する作成手段と、有することを特徴とする通信装置。
【請求項６】
前記文字列毎に前記文字列が表す喜怒哀楽の感情情報と前記文字列の感情の強さを示す頻度値とを格納する辞書を備え、
前記感情決定手段は、前記１つもしくは複数の文字列をキーにして前記辞書を検索することにより前記１つもしくは複数の文字列に対応する感情情報と頻度値とを抽出し、
前記抽出した頻度値の中で前記頻度値の一番高い値に該当する感情情報を前記全体感情として決定することを特徴とする請求項５記載の通信装置。
【請求項７】
前記文字列毎に前記文字列が表す喜怒哀楽の感情情報と前記文字列の感情の強さを示す頻度値とを格納する辞書と、
前記全体感情に対応した装飾パターンを格納するデータベースと、を備え、
前記感情決定手段は、前記１つもしくは複数の文字列をキーにして前記辞書を検索することにより前記１つもしくは複数の文字列に対応する感情情報と頻度値とを抽出し、
前記抽出した頻度値の中で前記頻度値の一番高い値に該当する感情情報を前記全体感情として決定し、
前記作成手段は、前記決定した全体感情をキーにして前記データベースを検索することにより文書の背景色を決定することを特徴とする請求項５記載の通信装置。
【請求項８】
前記文字列毎に前記文字列が表す喜怒哀楽の感情情報と前記文字列の感情の強さを示す頻度値とを格納する辞書と、
部分感情と全体感情とに対応した装飾パターンを格納するデータベースと、を備え、
前記感情決定手段は、前記１つもしくは複数の文字列をキーにして前記辞書を検索することにより前記１つもしくは複数の文字列に対応する感情情報と頻度値とを抽出し、
前記作成手段は、前記抽出した頻度値の中で前記頻度値の一番高い値に該当する感情情報を前記全体感情として決定し、
前記抽出した感情情報を部分感情としその部分感情と前記決定した全体感情とをキーにして前記データベースを検索することにより前記１つもしくは複数の文字列に対応する装飾パターンを抽出することを特徴とする請求項５または７記載の通信装置。
【請求項９】
ＨＴＭＬメールの作成を行うＨＴＭＬメール生成方法であって、
ＨＴＭＬメールの文書作成時に、作成されたテキスト形式の文書の中に感情が読み取れる１つもしくは複数の文字列が存在すると、その１つもしくは複数の文字列から文書の全体感情を決定し、
前記文字列に前記決定した全体感情に対応した装飾を掛けたＨＴＭＬ形式の文書にすることを特徴とするＨＴＭＬメール生成方法。
【請求項１０】
前記文字列毎に前記文字列が表す喜怒哀楽の感情情報と前記文字列の感情の強さを示す頻度値とを格納する辞書を予め準備し、
前記全体感情を決定する場合に、前記１つもしくは複数の文字列をキーにして前記辞書を検索することにより前記１つもしくは複数の文字列に対応する感情情報と頻度値とを抽出し、
前記抽出した頻度値の中で前記頻度値の一番高い値に該当する感情情報を前記全体感情として決定することを特徴とする請求項９記載のＨＴＭＬメール生成方法。
【請求項１１】
前記文字列毎に前記文字列が表す喜怒哀楽の感情情報と前記文字列の感情の強さを示す頻度値とを格納する辞書と、
前記全体感情に対応した装飾パターンを格納するデータベースと、を予め準備し、
前記全体感情を決定する場合に、前記１つもしくは複数の文字列をキーにして前記辞書を検索することにより前記１つもしくは複数の文字列に対応する感情情報と頻度値とを抽出し、
前記抽出した頻度値の中で前記頻度値の一番高い値に該当する感情情報を前記全体感情として決定し、
前記決定した全体感情をキーにして前記データベースを検索することにより文書の背景色を決定することを特徴とする請求項９記載のＨＴＭＬメール生成方法。
【請求項１２】
前記文字列毎に前記文字列が表す喜怒哀楽の感情情報と前記文字列の感情の強さを示す頻度値とを格納する辞書と、
部分感情と全体感情とに対応した装飾パターンを格納するデータベースと、を予め準備し、
前記１つもしくは複数の文字列を決定する場合に、前記１つもしくは複数の文字列をキーにして前記辞書を検索することにより前記文１つもしくは複数の文字列に対応する感情情報と頻度値とを抽出し、
前記抽出した頻度値の中で前記頻度値の一番高い値に該当する感情情報を前記全体感情として決定し、
前記抽出した感情情報を部分感情としその部分感情と前記決定した全体感情とをキーにして前記データベースを検索することにより前記１つもしくは複数の文字列に対応する装飾パターンを抽出することを特徴とする請求項９または１１記載のＨＴＭＬメール生成方法。
【請求項１３】
コンピュータに、ＨＴＭＬメールの作成処理を実行させるプログラムを記憶した記録媒体であって、
ＨＴＭＬメールの文書作成時に、作成されたテキスト形式の文書の中に感情が読み取れる１つもしくは複数の文字列が存在すると、その１つもしくは複数の文字列から文書の全体感情を決定し、
前記文字列に前記決定した全体感情に対応した装飾を掛けたＨＴＭＬ形式の文書にするという処理を前記コンピュータに実行させるプログラムを記憶した記録媒体。
【請求項１４】
前記文字列毎に前記文字列が表す喜怒哀楽の感情情報と前記文字列の感情の強さを示す頻度値とを格納する辞書を記憶し、
前記全体感情を決定する場合に、前記１つもしくは複数の文字列をキーにして前記辞書を検索することにより前記１つもしくは複数の文字列に対応する感情情報と頻度値とを抽出し、
前記抽出した頻度値の中で前記頻度値の一番高い値に該当する感情情報を前記全体感情として決定する、という処理を前記コンピュータに実行させるプログラムを記憶した請求項１３記載の記録媒体。
【請求項１５】
前記文字列毎に前記文字列が表す喜怒哀楽の感情情報と前記文字列の感情の強さを示す頻度値とを格納する辞書と、
前記全体感情に対応した装飾パターンを格納するデータベースと、を記憶し、
前記全体感情を決定する場合に、前記１つもしくは複数の文字列をキーにして前記辞書を検索することにより前記１つもしくは複数の文字列に対応する感情情報と頻度値とを抽出し、
前記抽出した頻度値の中で前記頻度値の一番高い値に該当する感情情報を前記全体感情として決定し、
前記決定した全体感情をキーにして前記データベースを検索することにより文書の背景色を決定する、という処理を前記コンピュータに実行させるプログラムを記憶した請求項１４記載の記録媒体。
【請求項１６】
前記文字列毎に前記文字列が表す喜怒哀楽の感情情報と前記文字列の感情の強さを示す頻度値とを格納する辞書と、
部分感情と全体感情とに対応した装飾パターンを格納するデータベースと、を記憶し、
前記１つもしくは複数の文字列を決定する場合に、前記１つもしくは複数の文字列をキーにして前記辞書を検索することにより前記文１つもしくは複数の文字列に対応する感情情報と頻度値とを抽出し、
前記抽出した頻度値の中で前記頻度値の一番高い値に該当する感情情報を前記全体感情として決定し、
前記抽出した感情情報を部分感情としその部分感情と前記決定した全体感情とをキーにして前記データベースを検索することにより前記１つもしくは複数の文字列に対応する装飾パターンを抽出する、という処理を前記コンピュータに実行させるプログラムを記憶した１３または１５記載の記録媒体。
【発明の詳細な説明】
【技術分野】
【０００１】
本発明は、ＨＴＭＬメール生成システム、通信装置、ＨＴＭＬメール生成方法、及び記録媒体に関する。特に、本発明は、ＨＴＭＬメールの文書入力時に、その文書の内容に応じて、感情を表す文字に装飾を掛けるＨＴＭＬメール生成システム、通信装置、ＨＴＭＬメール生成方法、及び記録媒体に関する。
【背景技術】
【０００２】
オペレータは、ＨＴＭＬ（Hyper Text Markup Language）形式のメールを作成する場合、一般に、以下の方法で行っている。すなわち、オペレータは、文章作成時にあらかじめフォントのサイズ、色、表示位置などの装飾の種類を指定してから文章を入力する。あるいは、利用者は、すべての本文を作成し終えた後に、装飾を希望する箇所をその作成した文書から選択し、装飾を付けるという作業を繰り返し行う。
【０００３】
しかしながら、上述した手順は、１つのＨＴＭＬ形式のメールを作成するに辺り、非常に時間と手間がかかる作業である。
【０００４】
また、文書から語句を抽出しその語句の使用頻度に基づいて文書の特徴ベクトルを生成するという文書特徴抽出方法が、例えば、特開２０００−１８１９３６号公報に開示されている。すなわち、文献１の文書特徴抽出方法は、文書から名詞の連続する語句（名詞ｂｉｇｒａｍ）を抽出し、出現回数をカウントする。そして、文献１の文書特徴抽出方法は、その出現回数を基に１つの語句を文書の特徴ベクトルとして生成する。
【０００５】
また、文字列を装飾対応のｈｔｍｌとしてＨＴＭＬメールを作成するという文書作成方法が、例えば、特開２００４−１５７７２６号公報に開示されている。すなわち、オペレータが画面上でのＨＴＭＬメール作成時に、入力した文字を装飾するためにその文字列を選択し、更にファンクションキーの操作を行うと、携帯電話は、選択可能な絵文字を表示部に表示する。オペレータが画面上で希望の絵文字を選択すると、携帯電話は、その選択した文字列に絵文字を付加する。更にオペレータが表示画面を見ながらＨＴＭＬメールを選択すると、携帯電話は、付加されている絵文字に対応した装飾を、その選択した文字列に掛ける。
【０００６】
また、単語に対応する画像データなどを画像記憶部から抽出しそれに基づき電子メールを作成するという文書変換方法が、例えば、特開平１１−１１０３７３号公報に開示されている。すなわち、文書変換装置は、入力された文章を、形態素解析して、単語を抽出する。更に、文書変換装置は、その抽出した単語を基に画像記憶部を検索し、単語に対応する画像を取得して、その取得した画像を貼り付けた文書を作成する。
【０００７】
一方、電子メールの文章を作成する場合、オペレータは、一般に、感情を表す語句（例えば、ありがとう、楽しい、うれしい、ごめん等の語句）を用いて文章を作成する。この作成した電子メールの文書内の感情を表す語句に、電子メールの内容に応じた装飾が掛けられていれば、その電子メールの文書内の感情を表す語句が、文書の内容に応じ、かつ目に見える形で表現されることになる。そのため、このような電子メールは、相手に感情表現を伝えることになり、便利なものである。
【０００８】
【特許文献１】特開２０００−１８１９３６号公報
【特許文献２】特開２００４−１５７７２６号公報
【特許文献３】特開平１１−１１０３７３号公報
【発明の開示】
【発明が解決しようとする課題】
【０００９】
しかしながら、上記特許文献１の技術は、出現回数を基に特徴となる語句を抽出しているため、たまたま感情を示す語句を抽出することができるが、例え、たまたま感情を示す語句を抽出したとしても抽出した語句を装飾していない。そのため、上記特許文献１の技術は、ＨＴＭＬメールの文書入力時に、感情を表現する語句（文字列）の装飾を掛けるようにするには、オペレータが手操作で行うことしかなく、非常に手間のかかる作業を解消することできない。この場合の手操作とは、例を挙げると、以下のことである。すなわち、オペレータがＨＴＭＬエディタにて装飾を付けたい部分に対して、あらかじめ文字色やサイズなどを指定してから文章を入力する。又は、オペレータがすべての文章を入力してから装飾を付けたい部分を範囲指定して、文字色やサイズを設定する。
【００１０】
また、特許文献２の技術は、オペレータが手操作で画面操作を行いながら、画面上から絵文字を選択して、希望する文字列に付加するようにしている。そのため、上記特許文献２の技術は、ＨＴＭＬメールの文書入力時に、感情を表現する語句（文字列）の装飾を掛けるようにするには、オペレータが手操作で行うことしかなく、非常に手間のかかる作業を解消することできない。
【００１１】
また、上記特許文献３の技術は、入力された文章から単語を抽出してその抽出した単語に対応する画像を、電子メールの内容に関係なく、無条件で文書に貼り付けている。そのため、上記特許文献３の技術は、ＨＴＭＬメールの文書入力時に、感情を表現する語句（文字列）の装飾を掛けるようにするには、オペレータが手操作で行うことしかなく、非常に手間のかかる作業を解消することできない。
【００１２】
そこで、本発明の目的は、上記問題点を鑑み、ＨＴＭＬメールの文書入力時に、その文書の内容に応じて、感情を表す文字に装飾を自動的に掛けるＨＴＭＬメール生成システム、通信装置、ＨＴＭＬメール生成方法、及び記録媒体を提供することにある。
【課題を解決するための手段】
【００１３】
上記課題を解決するために、本発明のＨＴＭＬメール生成システムは、ＨＴＭＬメールを作成するＨＴＭＬ生成システムであって、ＨＴＭＬメールの文書作成時に、作成されたテキスト形式の文書の中に感情が読み取れる１つもしくは複数の文字列が存在すると、その１つもしくは複数の文字列から文書の全体感情を決定する感情決定手段と、前記文字列に前記決定した全体感情に対応した装飾を掛けたＨＴＭＬ形式の文書にして表示部に表示する作成手段と、有していることを特徴としている。
【００１４】
更に、上記のＨＴＭＬメール生成システムにおいて、前記文字列毎に前記文字列が表す喜怒哀楽の感情情報と前記文字列の感情の強さを示す頻度値とを格納する辞書を備え、前記感情決定手段は、前記１つもしくは複数の文字列をキーにして前記辞書を検索することにより前記１つもしくは複数の文字列に対応する感情情報と頻度値とを抽出し、前記抽出した頻度値の中で前記頻度値の一番高い値に該当する感情情報を前記全体感情として決定することを特徴としても良い。
【００１５】
更に、上記のＨＴＭＬメール生成システムにおいて、前記文字列毎に前記文字列が表す喜怒哀楽の感情情報と前記文字列の感情の強さを示す頻度値とを格納する辞書と、前記全体感情に対応した装飾パターンを格納するデータベースと、を備え、前記感情決定手段は、前記１つもしくは複数の文字列をキーにして前記辞書を検索することにより前記１つもしくは複数の文字列に対応する感情情報と頻度値とを抽出し、前記抽出した頻度値の中で前記頻度値の一番高い値に該当する感情情報を前記全体感情として決定し、前記作成手段は、前記決定した全体感情をキーにして前記データベースを検索することにより文書の背景色を決定することを特徴としても良い。
【００１６】
更に、上記のＨＴＭＬメール生成システムにおいて、前記文字列毎に前記文字列が表す喜怒哀楽の感情情報と前記文字列の感情の強さを示す頻度値とを格納する辞書と、部分感情と全体感情とに対応した装飾パターンを格納するデータベースと、を備え、前記感情決定手段は、前記１つもしくは複数の文字列をキーにして前記辞書を検索することにより前記１つもしくは複数の文字列に対応する感情情報と頻度値とを抽出し、前記抽出した頻度値の中で前記頻度値の一番高い値に該当する感情情報を前記全体感情として決定し、前記作成手段は、前記抽出した感情情報を部分感情としその部分感情と前記決定した全体感情とをキーにして前記データベースを検索することにより前記１つもしくは複数の文字列に対応する装飾パターンを抽出することを特徴としても良い。
【００１７】
また、本発明の通信装置は、ＨＴＭＬメールを作成する通信装置であって、ＨＴＭＬメールの文書作成時に、作成されたテキスト形式の文書の中に感情が読み取れる１つもしくは複数の文字列が存在すると、その１つもしくは複数の文字列から文書の全体感情を決定する感情決定手段と、前記文字列に前記決定した全体感情に対応した装飾を掛けたＨＴＭＬ形式の文書にして前記表示部に表示する作成手段と、有することを特徴としている。
【００１８】
更に、上記の通信装置において、前記文字列毎に前記文字列が表す喜怒哀楽の感情情報と前記文字列の感情の強さを示す頻度値とを格納する辞書を備え、前記感情決定手段は、前記１つもしくは複数の文字列をキーにして前記辞書を検索することにより前記１つもしくは複数の文字列に対応する感情情報と頻度値とを抽出し、前記抽出した頻度値の中で前記頻度値の一番高い値に該当する感情情報を前記全体感情として決定することを特徴としても良い。
【００１９】
更に、上記の通信装置において、前記文字列毎に前記文字列が表す喜怒哀楽の感情情報と前記文字列の感情の強さを示す頻度値とを格納する辞書と、前記全体感情に対応した装飾パターンを格納するデータベースと、を備え、前記感情決定手段は、前記１つもしくは複数の文字列をキーにして前記辞書を検索することにより前記１つもしくは複数の文字列に対応する感情情報と頻度値とを抽出し、前記抽出した頻度値の中で前記頻度値の一番高い値に該当する感情情報を前記全体感情として決定し、前記作成手段は、前記決定した全体感情をキーにして前記データベースを検索することにより文書の背景色を決定することを特徴としても良い。
【００２０】
更に、上記の通信装置において、前記文字列毎に前記文字列が表す喜怒哀楽の感情情報と前記文字列の感情の強さを示す頻度値とを格納する辞書と、部分感情と全体感情とに対応した装飾パターンを格納するデータベースと、を備え、前記感情決定手段は、前記１つもしくは複数の文字列をキーにして前記辞書を検索することにより前記１つもしくは複数の文字列に対応する感情情報と頻度値とを抽出し、前記作成手段は、前記抽出した頻度値の中で前記頻度値の一番高い値に該当する感情情報を前記全体感情として決定し、前記抽出した感情情報を部分感情としその部分感情と前記決定した全体感情とをキーにして前記データベースを検索することにより前記１つもしくは複数の文字列に対応する装飾パターンを抽出することを特徴としても良い。
【００２１】
また、本発明のＨＴＭＬメール生成方法は、ＨＴＭＬメールの作成を行うＨＴＭＬメール生成方法であって、ＨＴＭＬメールの文書作成時に、作成されたテキスト形式の文書の中に感情が読み取れる１つもしくは複数の文字列が存在すると、その１つもしくは複数の文字列から文書の全体感情を決定し、前記文字列に前記決定した全体感情に対応した装飾を掛けたＨＴＭＬ形式の文書にすることを特徴としている。
【００２２】
更に、上記のＨＴＭＬメール生成方法において、前記文字列毎に前記文字列が表す喜怒哀楽の感情情報と前記文字列の感情の強さを示す頻度値とを格納する辞書を予め準備し、前記全体感情を決定する場合に、前記１つもしくは複数の文字列をキーにして前記辞書を検索することにより前記１つもしくは複数の文字列に対応する感情情報と頻度値とを抽出し、前記抽出した頻度値の中で前記頻度値の一番高い値に該当する感情情報を前記全体感情として決定することを特徴としても良い。
【００２３】
更に、上記のＨＴＭＬメール生成方法において、前記文字列毎に前記文字列が表す喜怒哀楽の感情情報と前記文字列の感情の強さを示す頻度値とを格納する辞書と、前記全体感情に対応した装飾パターンを格納するデータベースと、を予め準備し、前記全体感情を決定する場合に、前記１つもしくは複数の文字列をキーにして前記辞書を検索することにより前記１つもしくは複数の文字列に対応する感情情報と頻度値とを抽出し、前記抽出した頻度値の中で前記頻度値の一番高い値に該当する感情情報を前記全体感情として決定し、前記決定した全体感情をキーにして前記データベースを検索することにより文書の背景色を決定することを特徴としても良い。
【００２４】
更に、上記のＨＴＭＬメール生成方法において、前記文字列毎に前記文字列が表す喜怒哀楽の感情情報と前記文字列の感情の強さを示す頻度値とを格納する辞書と、部分感情と全体感情とに対応した装飾パターンを格納するデータベースと、を予め準備し、前記１つもしくは複数の文字列を決定する場合に、前記１つもしくは複数の文字列をキーにして前記辞書を検索することにより前記文１つもしくは複数の文字列に対応する感情情報と頻度値とを抽出し、前記抽出した頻度値の中で前記頻度値の一番高い値に該当する感情情報を前記全体感情として決定し、前記抽出した感情情報を部分感情としその部分感情と前記決定した全体感情とをキーにして前記データベースを検索することにより前記１つもしくは複数の文字列に対応する装飾パターンを抽出することを特徴としても良い。
【００２５】
また、本発明の記録媒体は、コンピュータに、ＨＴＭＬメールの作成処理を実行させるプログラムを記憶した記録媒体であって、ＨＴＭＬメールの文書作成時に、作成されたテキスト形式の文書の中に感情が読み取れる１つもしくは複数の文字列が存在すると、その１つもしくは複数の文字列から文書の全体感情を決定し、前記文字列に前記決定した全体感情に対応した装飾を掛けたＨＴＭＬ形式の文書にするという処理を前記コンピュータに実行させるプログラムを記憶している。
【００２６】
更に、上記の記録媒体において、前記文字列毎に前記文字列が表す喜怒哀楽の感情情報と前記文字列の感情の強さを示す頻度値とを格納する辞書を記憶し、前記全体感情を決定する場合に、前記１つもしくは複数の文字列をキーにして前記辞書を検索することにより前記１つもしくは複数の文字列に対応する感情情報と頻度値とを抽出し、前記抽出した頻度値の中で前記頻度値の一番高い値に該当する感情情報を前記全体感情として決定する、という処理を前記コンピュータに実行させるプログラムを記憶しても良い。
【００２７】
更に、上記の記録媒体において、前記文字列毎に前記文字列が表す喜怒哀楽の感情情報と前記文字列の感情の強さを示す頻度値とを格納する辞書と、前記全体感情に対応した装飾パターンを格納するデータベースと、を記憶し、前記全体感情を決定する場合に、前記１つもしくは複数の文字列をキーにして前記辞書を検索することにより前記１つもしくは複数の文字列に対応する感情情報と頻度値とを抽出し、前記抽出した頻度値の中で前記頻度値の一番高い値に該当する感情情報を前記全体感情として決定し、前記決定した全体感情をキーにして前記データベースを検索することにより文書の背景色を決定する、という処理を前記コンピュータに実行させるプログラムを記憶しても良い。
【００２８】
更に、上記の記録媒体において、前記文字列毎に前記文字列が表す喜怒哀楽の感情情報と前記文字列の感情の強さを示す頻度値とを格納する辞書と、部分感情と全体感情とに対応した装飾パターンを格納するデータベースと、を記憶し、前記１つもしくは複数の文字列を決定する場合に、前記１つもしくは複数の文字列をキーにして前記辞書を検索することにより前記文１つもしくは複数の文字列に対応する感情情報と頻度値とを抽出し、前記抽出した頻度値の中で前記頻度値の一番高い値に該当する感情情報を前記全体感情として決定し、前記抽出した感情情報を部分感情としその部分感情と前記決定した全体感情とをキーにして前記データベースを検索することにより前記１つもしくは複数の文字列に対応する装飾パターンを抽出する、という処理を前記コンピュータに実行させるプログラムを記憶しても良い。
【発明の効果】
【００２９】
従って、上記発明は、ＨＴＭＬメールの文書作成時に、作成されたテキスト形式の文書の中に感情の読み取れる文字列が存在すると、その文字列から文書全体感情を決定する。更に、上記発明は、その決定した全体感情に対応した装飾パターンを、感情を表す文字列に掛けたＨＴＭＬ形式の文書にしている。そのため、上記発明は、オペレータがテキスト形式の文書を作成するだけで自動的に感情を表す文字列に装飾を掛けたＨＴＭＬ形式の文書に変換することができる。更に、上記発明は、その装飾を掛けたＨＴＭＬ形式の文章を表示しているため、オペレータは、メール送信する前に自動変換したＨＴＭＬ形式の文書を確認することができる。
【発明を実施するための最良の形態】
【００３０】
次に、本発明の実施の形態について図面を参照して説明する。尚、本実施の形態では携帯電話機の場合で説明する。
【００３１】
図１は、本発明に係るメール自動生成方法を適用した通信装置を含むシステムの一実施の形態を示すブロック図である。
【００３２】
図１は、通信装置である携帯端末１と、記録媒体装置４０と、記録媒体４１とを含む。
【００３３】
携帯端末１は、携帯電話機、ＰＤＡ（Personal Digital Assistants）、ＰＨＳ（Personal Handyphone System）などのように、通信機能を備える携帯型の通信装置である。携帯端末１は、アンテナ２と、制御部１１と、無線部１２と、信号処理部１３と、表示部１４と、キー操作部１５と、ＲＯＭ１６と、ＲＡＭ１７と、インタフェース部１８と、カメラ１９、スピーカ２１と、マイクロフォン２２とを含む。
【００３４】
アンテナ２は、音声データ、メディアデータ等のデータの送受信を、図示していない無線網を介して行う。この場合のアンテナ２は、例えば、ホイップアンテナ、ロッドアンテナ、ヘリカルアンテナ、パッチアンテナ等の無指向性アンテナであっても良いし、ダイポールアンテナや逆Ｌアンテナなどの指向性アンテナであっても良い。
【００３５】
無線部１２は、制御部１１の制御の下で、アンテナ２を介して他の装置とのデータのやり取りを行う。
【００３６】
信号処理部１３は、制御部１１の下で、無線部１２へ送出する信号または無線部１２からの信号を処理する。
【００３７】
キー操作部１５は、各種キー、ボタン等を有しており、制御部１１の下で、オペレータによる各種キー操作を受け付ける。
【００３８】
表示部（例えば、液晶パネル）１４は、制御部１１の下で、各種情報を表示する。
【００３９】
制御部１１は、ＣＰＵ（Central Processing Unit）によりＲＯＭ１６又はＲＡＭ１７に格納されているプログラムを実行することによりプログラム制御で動作する。更に、制御部１１は、無線部１２、信号処理部１３、表示部１４、キー操作部１５、インタフェース部１８、及びカメラ１９を制御する。
【００４０】
ＲＯＭ１６は、例えば、フラッシュメモリ、ＥＥＰＲＯＭ（Electronically Erasable and Programmable Read Only Memory）等の不揮発性の再書き込みのできるメモリである。ＲＯＭ１６は、前述の制御部１１に接続され、受信した文字メッセージ（以下「メール」という。）の表示や各種表示を行うための文字フォント、絵文字などのデータを格納する。更に、ＲＯＭ１６は、ＨＴＭＬメール生成プログラム１６１を含む各種プログラムを格納している。更に、ＲＯＭ１６は、感情分類キーワード辞書１０４（後述説明）と、装飾パターンデータベース１０５（後述説明）とを格納している。
【００４１】
ＲＡＭ１７は、例えば、ＲＡＭ（Random Access Memory）等の揮発性のメモリである。ＲＡＭ１７は、前述の制御部１１に接続され、受信したメールのデータ、画像のデータを記録する。また、ＲＡＭ１７は、カメラ１９で撮影した写真画像のデータを記録するための画像記録部と、送受信メールやアドレスなどの文字データを記録する文字記録部とを有する（画像記録部と文字記録部とで電話帳が構成されていてもよい。）。また、ＲＡＭ１７は、制御部１１が動作する場合の作業領域として利用される。
【００４２】
カメラ１９は、風景、人物等を撮影するためのカメラである。この場合のカメラ１９は、例えば、ＣＣＤ（Charge Coupled Devices）を用いたデジタルカメラを用いる。
【００４３】
スピーカ２１は、音声を出力する。
【００４４】
マイクロフォン２２は、音声、周辺の音等を入力する。チャット専用画面を有する。
【００４５】
制御部１１は、携帯電話機１を統括制御するものである。制御部１１は、ＣＰＵ１１１とＨＴＭＬメール生成部３０とを含んでいる。このＨＴＭＬメール生成部３０は、ＣＰＵ１１１によりプログラム制御で動作する。すなわち、ＨＴＭＬメール生成部３０は、ＲＯＭ１６に格納されているＨＴＭＬメール生成プログラム１６１を実行することにより、ＨＴＭＬメールの生成を行う。
【００４６】
インタフェース部１８は、制御部１１の制御の下で、媒体装置４０とのデータのやり取りを行う。従って、本実施の形態例では、インタフェース部１８は、記録媒体４１に格納されているＨＴＭＬ生成プログラム等をＲＯＭ１６内のエリアに格納するためのインタフェースとして利用される。
【００４７】
記録媒体装置４０は、例えば、CD-ROM drive装置、rewritable drive装置、DVD burning drive装置等の装置であって、記録媒体４１を読み取ることができる装置である。
【００４８】
記録媒体４１は、例えば、ＣＤ−ＲＯＭ、ＣＤ−Ｒ、ＤＶＤ等の記録媒体である。この記録媒体４１には、ＨＴＭＬメール生成プログラムと、感情分類キーワード辞書と、装飾パターンデータベースとが予め書き込まれている。
【００４９】
携帯端末１のオペレータが、ＨＴＭＬメール生成のサービスを受けたいときに、予め、記録媒体４１に書き込まれているＨＴＭＬメール生成プログラムを携帯端末１にインストールする必要がある。すなわち、オペレータが媒体装置４０に記録媒体４１をセットし、記録媒体４１に書き込まれているＨＴＭＬメール生成プログラムのインストールの指示をキー操作部１５から行う。すると、制御部１１は、媒体装置４０を介してＨＴＭＬメール生成プログラムと感情分類キーワード辞書と装飾パターンデータベースとを読み取る。そして、制御部１１は、読み取ったＨＴＭＬメール生成プログラムと感情分類キーワード辞書と装飾パターンデータベースとをＲＯＭ１６に記憶する。なお、ユーザが必ずしも携帯端末１の購入後にＨＴＭメール生成プログラムと辞書とデータベースとをインストールする必要はなく、製造業者が、携帯端末１の工場出荷時に、インストールして記憶させておいても良い。または、販売業者が、携帯端末１の販売時に、ＨＴＭメール生成プログラムと辞書とデータベースをＲＯＭ１６にインストールして記憶させておいても良い。また、サービス提供者が記録媒体４１に書き込まれているＨＴＭＬ生成プログラムを図示していないサーバ装置にインストールしておく。そしてユーザが、そのインストールしたサーバ装置からアンテナ２を介して、プログラムと辞書とデータベースとを携帯端末１にダウンロードして、ＲＯＭ１６に書き込んでも良い。
【００５０】
図２は、図１に示した制御部１１のＨＴＭＬメール生成部３０を含むメール生成回路の例を示すブロック図である。
【００５１】
本ＨＴＭＬメール生成部３０は、メールエディタ１０１と、ＨＴＭＬメール作成部１０２と、形態素解析部１０３とを含んでいる。また、ＲＯＭ１６は、ＨＴＭＬメール生成部３０が動作する上で必要な情報として、感情分類キーワード辞書１０４と、装飾パターンデータベース１０５とを含んでいる。
【００５２】
メールエディタ１０１は、テキスト形式及びＨＴＭＬ形式のメールを編集する。
【００５３】
ＨＴＭＬメール作成部１０２は、テキスト形式メールからＨＴＭＬ形式メールを作成する。ＨＴＭＬメール作成部１０２は、感情決定部１０２１と、作成部１０２２とを含む。
【００５４】
感情決定部１０２１は、作成されたテキスト形式のメール文書の中から感情のある単語（文字列）を抽出する。感情決定部１０２１は、その抽出した単語を基に、単語自身の感情（本実施の形態例では、単語の部分感情ともいう）とメール文書の全体感情を抽出し、決定する。
【００５５】
作成部１０２２は、決定された全体感情から背景色を抽出し、決定する。作成部１０２２は、抽出された感情のある文字列に、決定された部分感情と全体感情とに対応した装飾パターンを抽出して決定する。作成部１０２２は、決定した装飾パターンを用いて、テキスト形式の文書をＨＴＭＬ形式のメール文書に変換し、その変換したＨＴＭＬ形式のメール文書を表示部１４に表示する。
【００５６】
形態素解析部１０３は、テキスト形式のメールの本文を解析し、単語（文字列）単位に切り出す。
【００５７】
感情分類キーワード辞書１０４は、ＲＯＭ１６内に割り当てられている。この感情分類キーワード辞書１０４は、形態素解析部１０３にて取り出した単語（文字列）に対応できるように、感情を分類して保存している。すなわち、感情分類キーワード辞書１０４は、例えば、図４に示すように、表記毎に、その表記に対応した感情と頻度とを含んでいる。この場合、表記は、単語（文字列）を示しており、形態素解析部１０３が切り出した単語（文字列）に対応する。感情は、単語（文字列）自身の感情を示す。頻度は、単語（文字列）自身の感情の強さを示しており、例では、高い値ほど感情が強い。更に、感情分類キーワード辞書１０４には、形態素解析部１０３が図４で示した単語以外に語尾も識別できるように、表記欄に語尾（例えば、「は」であれば、その「は」と語尾を示す識別情報とを含む。但し、感情と頻度は記載されていない）も保存されている。
【００５８】
装飾パターンデータベース１０５は、ＲＯＭ１６内に割り当てられている。この装飾パターンデータベース１０５は、分類された感情に対応するＨＴＭＬの装飾パターンを保持している。装飾パターンには、全体の背景色の装飾と感情を示す単語自身の装飾とが存在する。そのために、装飾パターンデータベース１０５は、背景色データベース１０５１と部分装飾データベース１０５２とを含んでいる。
【００５９】
背景色データベース１０５１は、全体感情に対応する背景色を全体感情毎に格納している。すなわち、背景色データベース１０５１は、例えば、図５（ａ）に示すように、全体感情毎に、その全体感情に対応した背景色を含んでいる。なお、全体感情とは、メール全体の感情表現を示す。
【００６０】
部分装飾データベース１０５２は、部分感情毎に全体感情に対応した装飾パターン（例えば、色、フォントの大きさ、表示表現、配置）を格納している。すなわち、部分装飾データベース１０５２は、例えば、図５（ｂ）に示すように、部分感情毎に、その部分感情と全体感情に対応した装飾パターンを含んでいる。なお、図５（ｂ）中のテロップの装飾を指定された文字列は、表示部１４の画面上で文字列の範囲内で右から左へ文字が１文字ずつ流れるような表示を行い、これを繰り返す。更に、テロップされた単語が続く場合は、その続いた文字列全体がテロップの対象となる。
【００６１】
形態素解析部１０３は、電子メールの本文内にテキスト形式で記載された文書を、単語単位に切り出す。この場合の動作としては、形態素解析部１０３は、テキスト形式で記載された文章を形態素化することにより、最小の文字列を抽出する。この場合、形態素解析部１０３は、テキスト形式の電子メールの本文から、感情分類キーワード辞書１０４に登録された単語（表記の欄）に一致する部分の文字列を検索して一致する部分の文字列を抽出することにより、単語単位に切り出す。なお、形態素解析部１０３は、例えば、特開平７−３１１７６９号公報記載の技術を利用しても良く、本発明では、特に規定しない。
【００６２】
ここで、形態素とは、これ以上に細かくすると意味がなくなってしまう最小の文字列のことを示す。また、テキスト形式とは、レイアウト情報や装飾情報を持たない、純粋に文字のみで構成されるデータ形式のことを示す。ＨＴＭＬ（HyperText Markup Language）は、ＳＧＭＬ（Standard Generalized Markup Language）を基にして開発されたマークアップ言語であり、Ｗｅｂページを作成する場合などに用いられる。ＳＧＭＬは、１９６０年代にアメリカで考案された、文書の電子化のための規格である。
【００６３】
ＨＴＭＬメール生成部３０は、ＨＴＭＬメールの文書入力時に感情が読み取れる文字列が存在すると、文字列に感情に対応した装飾を掛け、その掛けた文字列を含む文書を表示部１４に表示する。この場合、ＨＴＭＬメール生成部３０は、切り出された文字列を基に、装飾パターンデータベース１０５から、文字列が表す喜怒快楽の感情と頻度を抽出し、その抽出した文字列から頻度の高い感情をメールの全体の感情を示すとして抽出する。更に、ＨＴＭＬメール生成部３０は、文字列が表す喜怒哀楽の感情とメールの全体感情とを基に、装飾パターンデータベース１０５から装飾パターンを抽出し、その抽出した装飾パターンを用いて文字列に装飾を掛ける。
【００６４】
次に、本発明を実施するための最良の形態の動作について図面を参照して説明する。
【００６５】
次に、図３及び図７を中心に参照して本実施の形態の全体の動作について詳細に説明する。
【００６６】
図３は、図２に示したＨＴＭＬメール作成部３０の動作を示すフローチャートである。すなわち、制御部１１がＨＴＭＬメール生成プログラム１６１を実行した場合の動作を示すフローチャートである。図７（ａ）は、テキスト形式の電子メールの本文の内容を示す。図７（ｂ）は、図７（ａ）の本文から切り出された単語を感情テーブル１０６の抽出語欄に書き込んだ場合の感情テーブル１０６の内容を示す図である。図７（ｃ）は、図７（ｂ）に登録されている単語をキーにして、感情分類キーワード辞書から感情と頻度を抽出した結果を、感情テーブル１０６に書き込んだ場合の感情テーブル１０６の内容を示す図である。図７（ｄ）は、図７（ａ）のテキスト形式の電子メール本文からＨＴＭＬ形式の電子メール本文に変換した場合のＨＴＭＬメール本文の内容を示す図である。
【００６７】
まず、オペレータがＨＴＭＬメールを作成するために、携帯端末１の表示部１４に表示されたメニュー画面から「メール作成」を選択すると、制御部１１は、メールエディタ１０１を実行する。すると、メールエディタ１１は、テキスト形式の電子メール本文を、表示部１４とキー操作部１５を介してオペレータに入力させる。オペレータがテキスト形式の電子メールの作成（例えば、図７（ａ）参照）が終わると、メールエディタ１０１は、テキスト形式で記載された電子メール（図７（ａ））をＨＴＭＬメール作成部１０２に渡す（図３のステップＳ２０１）。
【００６８】
ＨＴＭＬメール作成部１０２は、テキスト形式の電子メール（図７（ａ））を形態素解析部１０３に渡す。すると、形態素解析部１０３は、テキスト形式の電子メールの本文を、感情分類キーワード辞書１０４を検索することにより単語単位に切り出し、その単語単位に切り出した情報をＨＴＭＬメール作成部１０２に渡す。ＨＴＭＬメール作成部１０２は、単語単位に切り出された情報を抽出語として受け取る（図３のステップＳ２０２）。
【００６９】
抽出語を受け取ったＨＴＭＬメール作成部１０２は、制御を感情決定部１０２１に渡す。
【００７０】
ＨＴＭＬメール作成部１０２の感情決定部１０２１は、作業を行うためにＲＡＭ１７内に感情テーブル１０６（例えば、図６を参照）を作成し、その受け取った抽出語を感情テーブル１０６の抽出語欄に上から順に書き込む。この場合、抽出語を書き込んだ感情テーブル１０６は、例えば、図７（ｂ）のようになる。なお、図７（ｂ）の抽出語欄には、語尾が記載されていないが、語尾を含んだ（例えば、「今日」を「今日は」）文字列にしても良い。また、図７（ｂ）の抽出語欄のように、語尾を省略する場合には、切り出した文字列（この場合、語尾を合成した文字列）がわかるように抽出語欄に併記して書くようにしても良い。
【００７１】
感情決定部１０２１は、抽出語（切り出された単語）をキーにして、感情分類キーワード辞書１０４（図２）を検索し、それぞれの単語に対応する感情と頻度とを抽出する。更に、感情決定部１０２１は、感情テーブル１０６の感情欄と頻度欄に、抽出したそれぞれの単語の感情と頻度を、抽出語（単語）毎に書き込んでいき、感情テーブル１０６を完成する（例えば、図７（ｃ）を参照）。すなわち、感情決定部１０２１は、感情テーブル１０６を完成させることにより、感情を表現する単語の部分感情が決定したことになる。この場合、例えば、図７（ｃ）において、感情「嬉しい」が単語「ありがとう」の部分感情を示し、感情「楽しい」が単語「楽しかった」および「お出かけ」の部分感情を示す。なお、図７（ｃ）の感情テーブル内の感情欄の「−」は、感情表現のないことを示し、頻度欄の「−」は、感情がないことを示す。従って、図７（ａ）の電子メールの本文は、３つの喜怒快楽を示す単語を含むことになる。なお、感情テーブル内の「−」の表示は、「０」であっても良いし、ブランクであっても良い。
【００７２】
次に、感情決定部１０２１は、感情テーブル１０６内に感情を示す１つ又は複数の単語が存在するかを、感情テーブル１０６内の頻度を検索することにより判断する。存在すると、感情決定部１０２１は、作成した感情テーブル１０６内の抽出語（切り出された単語）のうち、最も感情の頻度の高い単語とその単語に対応する感情とを抽出する。この場合、感情決定部１０２１は、この抽出した頻度の高い感情がメール全体の感情を示していると判断する（図３のステップＳ２０３）。この感情決定部１０２１の判断がメール文書の全体感情を決定したことになる。  すなわち、図７
（ｃ）の感情テーブル１０６を参照すると、頻度情報が５００である「ありがとう」という単語が、「嬉しい」という感情表現を示している。感情決定部１０２１は、この「うれしい」という感情を、メール全体の感情として決定することになる。
【００７３】
図５（ａ）は、図２に示した装飾パターンデータベース１０５のうちの背景色データベース１０５１の一実施の形態を示す図である。図５（ｂ）は、装飾パターンデータベース１０５のうちの部分装飾データベース１０５２の一実施の形態を示す図である。
【００７４】
次に、感情決定部１０２１は、作成部１０２２に制御を渡す。ＨＴＭＬメール作成部１０２の作成部１０２２は、決定された全体感情をキーにして、装飾パターンデータベース１０５（図２）の中にある背景色データベース１０５１（図５（ａ））を検索し、該当する全体の背景色を抽出し、決定する。さらに、作成部１０２２は、切り出された単語の部分感情と全体感情とをキーにして部分装飾データベース１０５２（図５（ｂ））を検索し、該当する装飾パターンを抽出する。この場合、作成部１０２２は、感情テーブル１０６に登録されている抽出語に対応する感情を部分感情とし、その部分感情と決定された全体感情とをキーにして部分装飾データベース１０５２を検索し、それぞれの抽出語（単語）に該当する装飾パターンを部分装飾データベース１０５２から抽出し決定する。このようにして、作成部１０２２は、メールの背景色を反映させ、かつ喜怒哀楽を示す単語にそれぞれの装飾パターン情報を反映させながら、テキスト形式のメールをＨＴＭＬ形式のメールに変換する。更に、作成部１０２２は、このようにして作成したＨＴＭＬ形式のメール文書を表示部１４に表示する（図３のステップＳ２０４）。
【００７５】
最後に、作成部１０２２は、ＨＴＭＬメール作成部１０２に制御を返す。すると、ＨＴＭＬメール作成部１０２は、変換されたＨＴＭＬ形式のメール（図７（ｄ））をメールエディタ１０１（図２）に戻して完了となる（図３のステップＳ２０５）。
【００７６】
以上説明したように、制御部１１が、テキスト形式の電子メールを形態素の解析を行うことにより単語単位に切り出し、その切り出した単語を基に、感情分類キーワード辞書１０４と装飾パターンデータベース１０５を検索することにより、装飾パターンを、抽出しているため、自動的にＨＴＭＬ形式のメールを作成することが可能となる。すなわち、オペレータは強調したい言葉を範囲選択して、装飾の種類を変更するという作業を繰り返し行う必要がなく、本発明の実施の形態は、その煩わしい操作を自動的に行うことが可能となる。
【００７７】
上記実施の形態は、メール全体の感情に対してＨＴＭＬ形式メールの背景として背景色のみを対象としている。しかし、上記の実施の形態において、その背景色の代わりに、予め対象としている感情毎に分類された画像データベースを用意しておき、ＨＴＭＬメール作成部１０２がメールの全体の感情に従い、画像データベースを検索して画像を抽出し、背景としてその抽出した画像を挿入しても良い。また、上記実施の形態は、取り出された感情に対して１つの装飾パターンしか用意していないが、予め数パターン用意しておくことで、複数のＨＴＭＬ形式のメールを提示し、ユーザに好みにより選ばせるようにしても良い。
【００７８】
上記実施の形態は、携帯端末において説明したが、携帯型でないPersonal Computer等の通信機器に利用しても良い。更に、ＨＴＭＬ作成プログラムを記録した記録媒体を出荷した場合、オペレータは、通信機能を備えたコンピュータを保有していれば、記録媒体４１に格納したＨＴＭＬ作成プログラムをコンピュータにインストールすることにより、ＨＴＭＬ作成のサービスを受けることができる。
【００７９】
上記実施の形態は、ＲＡＭ１７を揮発性のメモリを前提として説明したが、フラッシュメモリ等の不揮発性メモリであっても良い。
【００８０】
上記実施の形態は、ＨＴＭＬメール生成プログラムと感情分類キーワード辞書と装飾パターンデータベースをＲＯＭ１６に格納するようにしたが、ＲＡＭ１７または図示していない不揮発性の記録媒体装置（例えば、磁気ディスク等）に格納するようにしても良い。
【００８１】
以上説明したように、本実施の形態における制御部１１がＨＴＭＬメールの文書作成時に、作成されたテキスト形式の文書の中に感情の読み取れる文字列が存在すると、その文字列から文書全体感情を決定する。更に、本実施の形態における制御部１１が、その決定した全体感情に対応した装飾パターンを、感情を表す文字列に掛けたＨＴＭＬ形式の文書にしている。そのため、本実施の形態は、オペレータがテキスト形式の文書を作成するだけで自動的に感情を表す文字列に装飾を掛けたＨＴＭＬ形式の文書に変換することができる。更に、制御部１１がその装飾を掛けたＨＴＭＬ形式の文章を表示しているため、オペレータは、メール送信する前に自動変換したＨＴＭＬ形式の文書を確認することができる。
【図面の簡単な説明】
【００８２】
【図１】本発明の実施の形態におけるメール自動生成方法を適用した通信装置を含むシステム全体の構成を示すブロック図である。
【図２】図１の制御部内のＨＴＭＬメール生成部を含むＨＴＭＬ生成回路の構成を示すブロック図である。
【図３】図２のＨＴＭＬメール作成部が動作する場合のフローチャートである。
【図４】図２の感情分類キーワード辞書の構成を示す図である。
【図５】（ａ）は、図２の装飾パターンデータベースのうちの背景色データベースの構成例を示す図である。（ｂ）は、図２の装飾パターンデータベースのうちの部分装飾データベースの構成例を示す図である。
【図６】図１のＲＡＭのあるエリアに作業領域として割り当てられた初期状態の感情テーブルの構成例を示す図である。
【図７】（ａ）は、テキスト形式で書かれた電子メールの本文である。（ｂ）は、図６の感情テーブルに切り出した単語が書き込まれた場合の構成例を示す図である。（ｃ）は、図７（ａ）の本文から切り出した単語である抽出語に対応して、感情と頻度を抽出した場合の結果を示す感情テーブルの構成例を示す図である。（ｄ）は、図７（ａ）のテキスト形式の電子メール本文からＨＴＭＬ形式の電子メール本文に変換した場合の図である。
【符号の説明】
【００８３】
１    携帯端末
２    アンテナ
１１    制御部
１２    無線部
１３    信号処理部
１４    表示部
１５    キー操作部
１６    ＲＯＭ
１７    ＲＡＭ
１８    インタフェース部
１９    カメラ
２１    スピーカ
２２    マイクロフォン
３０    ＨＴＭＬメール生成部
４０    記録媒体装置
４１    記録媒体
１０１    メールエディタ
１０２    ＨＴＭＬメール作成部
１０３    形態素解析部
１０４    感情分類キーワード辞書
１０５    装飾パターンデータベース
１０６    感情テーブル
１１１    ＣＰＵ
１６１    ＨＴＭＬメール生成プログラム
１０２１    感情決定部
１０２２    作成部
【図１】
2006185426.tif 000003
【図２】
2006185426.tif 000004
【図３】
2006185426.tif 000005
【図４】
2006185426.tif 000006
【図５】
2006185426.tif 000007
【図６】
2006185426.tif 000008
【図７】
2006185426.tif 000009